(57)【要約】【課題】カバーが突出する径方向の寸法を小さくできると共に、内管と外管との間のシール性の低下を防止可能な電気掃除機用延長管及びこれを用いた電気掃除機を提供すること。【解決手段】内管２２及び外管２１のカバー側の略半分をカバー側部分Ｐａとし、カバー２３，２５とは反対側の略半分を反カバー側部分Ｐｂしたとき、カバー側部分Ｐａと反カバー側部分Ｐｂとの一方の断面形状を単一の円弧（半径ｒａの円弧即ち半円）で形成すると共に、他方の断面形状を複数の円弧（ｃ１〜ｃ３）で形成している。【選択図】　図１０
2004008239.tif 000002
【特許請求の範囲】
【請求項１】
外管とこの外管内を摺動可能に設けられた内管とを有して伸縮可能であると共に、軸方向の一端部から他端部にわたって給電手段が設けられた電気掃除機用延長管であって、
前記外管の外周の一部には、径方向に突出して前記給電手段をカバーするカバーが設けられたものにおいて、
前記内管及び外管の前記カバー側の略半分をカバー側部分とし、前記カバーとは反対側の略半分を反カバー側部分としたとき、前記カバー側部分と反カバー側部分との一方の断面形状を単一の円弧で形成すると共に、他方の断面形状を複数の円弧で形成したことを特徴とする電気掃除機用延長管。
【請求項２】
請求項１に記載の電気掃除機用延長管において、前記反カバー側部分の断面形状を単一の円弧で形成したことを特徴とする電気掃除機用延長管。
【請求項３】
外管とこの外管内を摺動可能に設けられた内管とを有して伸縮可能であると共に、軸方向の一端部から他端部にわたって給電手段が設けられた電気掃除機用延長管であって、
前記外管の外周の一部には、径方向に突出して前記給電手段をカバーするカバーが設けられたものにおいて、
前記内管及び外管は、その断面形状が複数の円弧で形成されると共に、前記カバーが突出する径方向の長さがこの径方向と直交する径方向の長さより短く形成されていることを特徴とする電気掃除機用延長管。
【請求項４】
請求項１〜３に記載の電気掃除機用延長管を備えることを特徴とする電気掃除機。
【発明の詳細な説明】
【０００１】
【発明の属する技術分野】
この発明は、外管とこの外管内に摺動自在に嵌合された内管とを有し、伸縮可能に設けられた電気掃除機用延長管及びこれを用いた電気掃除機に関するものである。
【０００２】
【従来の技術】
この種の電気掃除機としては、例えば図１１に示したように、掃除機本体１の前部に集塵室２を形成し、この集塵室２に紙パックフィルタ等の集塵袋３を配設し、この集塵室２に吸込負圧を作用させる電動送風機４を掃除機本体１の後部に配設すると共に、集塵室２に集塵ホース５を接続し、集塵ホース５の他端部の手元操作パイプ６に延長管（延長パイプ）７を介して吸込口体８を接続するようにしたものがある。この電気掃除機の延長管７は、外管９と内管１０とを有し、伸縮自在に設けられている。
【０００３】
ところで、この様な電気掃除機には、図示しない駆動モータで回転駆動される回転清掃体を吸込口体８の吸込開口（図示せず）に配設したものが知られている。この様な電気掃除機では、掃除機本体１内の制御回路から吸込口体８の駆動モータへ給電を行うため伸縮自在な延長管７に給電手段を設ける必要がある。
【０００４】
このため、従来は、外管９の外表面に長手方向に延びる導電パターン（図示せず）を設け、内管１０の一端部１０ａに他端部近傍まで延びる樹脂製の保持板１０ｂを図１２に示したように保持させると共に、この保持板１０ｂに図１３，図１４に示したように給電線Ｌａ，Ｌｂを埋設し、この保持板の自由端部に給電線Ｌａ，Ｌｂに接続した端子板（図示せず）を保持させ、この端子板を外管９の導電パターンに摺接させるようにすると共に、この端子板及び導電パターンを外管側カバー１１でカバーするようにしていた。
【０００５】
この様に従来は、導電パターン，給電線，端子板等から延長管７の給電手段を構成していた。
【０００６】
また、外管９内を内管１０が軸方向に摺動する際、相対的に周方向に回動してもシール性を確保できるよう外管９，内管１０の断面形状は円形となっている。
【０００７】
【発明が解決しようとする課題】
しかしながら、外管９及び内管１０の断面形状は円形である一方、給電手段をカバーする外管側カバー１１が外管９の外周の一部に径方向に突出していたため、この外管側カバー１１の突出する径方向の寸法Ａ１が大きくなると言う問題があった。
【０００８】
そこで、この発明は、カバーが突出する径方向の寸法を小さくできると共に、内管と外管との間のシール性の低下を防止可能な電気掃除機用延長管及びこれを用いた電気掃除機を提供することを目的とするものである。
【０００９】
【課題を解決するための手段】
この目的を達成するため、請求項１の発明では、外管とこの外管内を摺動可能に設けられた内管とを有して伸縮可能であると共に、軸方向の一端部から他端部にわたって給電手段が設けられた電気掃除機用延長管であって、前記外管の外周の一部には、径方向に突出して前記給電手段をカバーするカバーが設けられたものにおいて、前記内管及び外管の前記カバー側の略半分をカバー側部分とし、前記カバーとは反対側の略半分を反カバー側部分としたとき、前記カバー側部分と反カバー側部分との一方の断面形状を単一の円弧で形成すると共に、他方の断面形状を複数の円弧で形成した電気掃除機用延長管としたことを特徴とする。
【００１０】
【発明の実施の形態】
以下、この発明の実施の形態を図面に基づいて説明する。尚、図１１と同一の部分については、図１１に付した符号と同じ符号を付して説明する。
【００１１】
図１において、掃除機本体１の前部には、集塵室２が形成されていると共に、集塵室２に連通するホース接続口１ａが形成されている。また、この集塵室２内には紙パックフィルタ等の集塵袋３が配設され、掃除機本体１の後部内には集塵室２内に吸込負圧を作用させる電動送風機４が配設されている。
【００１２】
そして、ホース接続口１ａには集塵ホース５の一端部が接続されている。この集塵ホース５の一端部は集塵袋３内に連通させられている。
【００１３】
また、集塵ホース５の他端部には手元操作パイプ６が設けられ、この手元操作パイプ６には伸縮可能な延長管（延長パイプ）２０を介して吸込口体８が接続されてる。
【００１４】
この延長管２０は、図１〜図４，図６〜図８，図１０に示したように、外管２１と内管２２を有する。この外管２１の一端部内には、図４（ｂ）に示したように、大径孔部２１ａが形成されている。この大径孔部２１ａ内には、シール部材保持用の第１の筒体２１ｂと、シール部材保持用の第２の筒体２１ｃが嵌着されている。そして、筒体２１ｂ，２１ｃ間には、図４，図５に示したように周方向に環状に延びるシール保持空間２１ｄが形成されている。このシール保持空間２１ｄ内には環状のシール部材（シールリング）２１ｅが保持されている。
【００１５】
そして、内管２２は、筒体２１ｂ，２１ｃ内に摺動自在に嵌合されていると共に、外管２１内に摺動自在に嵌合されている。しかも、この内管２２は一端部側が前記外管の一端部から出没可能に設けられている。この内管２２の外周面にはシール部材２１ｅが弾接していて、このシール部材２１ｅは内管２２と外管２１との間の気密性を保持している。２１ｆは、第２の筒体２１ｃの外端に設けられたカバーフランジである。
【００１６】
また、外管２１の外表面には、図４に示したように一端部から他端部近傍まで延びる所定幅の外管側カバー２３が給電手段カバー用に取り付けられている。この外管側カバー２３と外管２１の外表面との間には、図４に示したように外管２１の長手方向に延びる移動空間２４が形成されている。
【００１７】
更に、外管側カバー２３の一端部には、図４（ｂ）に示したように、ロックボタン２３ａの中央部が左右（幅方向）に延びる支持軸２３ｂを中心に上下回動可能に保持されている。このロックボタン２３ａは一端部が図４（ｂ）中コイルスプリング２３ｃにより上方に付勢されている。また、ロックボタン２３ａの他端部内にはロックピン（ロック部材）２３ｄが保持されている。
【００１８】
また、図４中、内管２２の上部には、内管２１の一端部から他端部まで延びる所定幅の給電手段カバー用の内管側カバー２５が配設されている。しかも、内管２２の一端部側にはフック部２２ａが設けられた切円状の筒体２２ｂが配設されている。この筒体２２ｂは、ビス２２ｃにより締め付けられていて、内管側カバー２５の一端部を内管２２の一端部に締付固定している。
【００１９】
この内管側カバー２５は、図４に示したように、カバーフランジ２１ｆを貫通して、外管側カバー２３内の移動空間２４内に長手方向に移動可能に挿入されている。この内管側カバー２５には、位置決凹部２５ａが形成され、ロックピン２３ｄが係合可能に設けられている。
【００２０】
更に、この内管側カバー２５は、下カバー板２６と、下カバー板２６上に着脱可能に取り付けられた上カバー板２７を有する。しかも、カバー板２６，２７の側部間には、図６〜図９に示したように、長手方向に延びる一対のガイド孔２８，２８が形成されている。この各ガイド孔２８は内管側カバー２５の両端に開口している。このガイド孔２８は円形に形成することもできる。
【００２１】
この各ガイド孔２８内には細径のガイドパイプ２９の一端部側がそれぞれ長手方向にスライド自在に挿入されている。各ガイドパイプ２９の他端部は外管２１の他端部に設けられた係止板部２１ｇに係止保持されている。従って、内管２２が外管２１に対して軸線方向（長手方向）に進退移動させられると、ガイドパイプ２９はガイド孔２８内を軸線方向（長手方向）に進退移動するようになっている。
【００２２】
このガイド孔２８及びガイドパイプ２９内には、コイル状で伸縮可能なリード線３０が給電線として配設されている。このリード線３０の両端部は外管２１の係止板部２１ｇ及び内管２２の一端部に設けられた係止板部２２ｄに固定されている。
【００２３】
また、このリード線３０の一端部は、内管２２の一端部に取り付けられた筒状の接続端子３１に接続されていると共に、内管２２の一端部に保持されている。しかも、リード線３０の他端部は、外管２１の他端部に取り付けたピン状の接続端子３２に接続されていると共に、外管２１の他端部に保持されている。
【００２４】
この接続端子３１は吸込口体８の図示しない接続端子に接続され、接続端子３２は手元操作パイプ６の図示しない接続端子に接続される。この様な延長管の電気的な接続構造については従来周知な構造を採用できるのでその詳細な説明は省略する。
【００２５】
この様な構成により、内管２２が外管２１に対して軸線方向（長手方向）に進退移動させられると、リード線３０は伸縮させられる様になっている。この様な構成により、給電線としてのリード線３０は、外管側カバー２３及び内管側カバー２５によりカバーされている。
【００２６】
ここで、内管２２及び外管２１のカバー２３，２５側の略半分をカバー側部分Ｐａとし、内管２２及び外管２１のカバー２３，２５とは反対側の略半分を反カバー側部分Ｐｂしたとき、この内管２２及び外管２１のカバー側部分Ｐａは断面形状が滑らかな円弧を有する様に内管２２及び外管２１の中心側に僅かに変形させられている。
【００２７】
この内管２２及び外管２１及び筒体２１ｂ，２１ｃの断面形状は同じように形成されるので、内管２２についてのみ以下に説明し、外管２１及び筒体２１ｂ，２１ｃについての説明は省略する。
【００２８】
このカバー側部分Ｐａの断面形状は、図１０に示したように、複数の異なる曲率半径ｒ１，ｒ２，ｒ３の円弧ｃ１，ｃ２，ｃ３を滑らかに連設することにより、滑らかな円弧状態で内管２２及び外管２１の中心側に僅かに変形させることにより形成したものである。この場合、曲率半径ｒ１，ｒ２，ｒ３の大きさは、ｒ１＜ｒ２＜ｒ３の様に設定されている。尚、反カバー側部分Ｐｂは真円に形成されている。
【００２９】
この様な構成において、内管２２の風路断面形状はＤカット形状に近い形状に形成されて風路断面積が大きくなるようになっている。しかし、この場合、カバー側部分Ｐａの断面形状において円弧ｃ１で示した左右の立ち上がり部分と円弧ｃ３で示した中央部の左右に延びる部分の連設部である円弧ｃ２が比較的大きな曲率半径を有する構成としている。
【００３０】
従って、円弧ｃ２の部分におけるシールも充分に行うことができる。即ち、内管２２の軸線回りの回転力が作用しても、内管２２の外周面と外管２１の内周面との間に介装した環状のシール部材（シールリング）２１ｅにより、内管２２と外管２１との間のシール性能が低下するのを防止できる。
【００３１】
尚、例えば、反カバー側部分Ｐｂの半径ｒａを１７．６ｍｍとし、曲率半径ｒ１を１７．６ｍｍとし、曲率半径ｒ２を１３．９ｍｍとし、曲率半径ｒ３を２３．６ｍｍとしたとき、カバー側部分Ｐａの断面形状において円弧ｃ１で示した左右の立ち上がり部分と円弧ｃ３で示した中央部の左右に延びる部分の連設部である円弧ｃ２が比較的大きな曲率半径を有することになる。
【００３２】
また、ここで、内管２２が断面形状が図１３，図１４のように半径ｒｂの真円で形成されている場合において、内管２２の風路断面積をＳ１とし、内管２２の中心をＯとし、内管２２の中心Ｏから内管２２の外管カバー２３側の上面（頂点）までの寸法をＸ１とする。
【００３３】
また、上述したようにカバー側部分Ｐａの断面形状を複数の円弧ｃ１〜ｃ３で形成した場合において、図１０に示した様に内管２２の風路断面積をＳ２とし、内管２２における反カバー側部分Ｐｂの中心Ｏから内管２２の外管カバー２３側の上面（頂点）までの寸法をＸ２とし、反カバー側部分Ｐｂの半径をｒａとする。
【００３４】
そして、例えば半径ｒｂをｒａと同じ１７．６ｍｍ、寸法Ｘ１を１７．６ｍｍとした場合において、Ｘ２が１４．８ｍｍとなった。この結果、ΔＸ＝Ｘ１−Ｘ２を２．８ｍｍとすることができた。この場合において、風路断面積Ｓ１とＳ２は殆ど同じであった。
【００３５】
尚、吸込性能を同じにするため、風路断面積Ｓ１とＳ２が同じになるように半径ｒａを例えば０．２ｍｍだけ大きくすることができる。この場合でも、管径が横方向で０．４ｍｍ大きくなるだけで、縦方向（カバー側部分Ｐａ方向）では０．２ｍｍ大きくなるのみで、全体的には断面形状が握りにくいほど大きくならものであった。即ち、内管２２のカバー２３側頂点からカバー２３の頂点までの寸法をＸ３とすると、この寸法Ｘ３は図１３，１４の場合でも同じであるので、カバー２３の頂点と中心Ｏを通る方向の全体の寸法Ｘ０は、図１３，図１４の寸法Ａ１に比べて、２．８−０．２＝２．６ｍｍだけ小さくなる。
【００３６】
以上説明した実施例では、カバー側部分Ｐａを断面形状が滑らかな円弧を有するように内管２２及び外管２１の中心側に僅かに変形させると共に、反カバー側部分Ｐｂを真円に形成した構成としたが、必ずしもこれに限定されるものではない。
【００３７】
例えば、カバー側部分Ｐａを真円に形成すると共に、反カバー側部分Ｐｂを断面形状が滑らかな円弧を有するように内管２２及び外管２１の中心側に僅かに変形させた構成としてもよい。また、カバー側部分Ｐａ及び反カバー側部分Ｐｂの両方を断面形状が滑らかな円弧を有するように内管２２及び外管２１の中心側に僅かに変形させた構成としても良い。
【００３８】
この様な構成においては、ロックボタン２３ａをコイルスプリング２３ｃのバネ力に抗して押して、ロックピン２３ｄを内管側カバー２５の位置決凹部２５ａから抜き取ることにより、内管２２が外管２１に対して長手方向に移動可能になる。従って、この状態で内管２２を外管２１から引き出せば、この外管２１と内管２２を備える延長管２０が図１に示すように伸長した状態となる。また、逆に内管２０の大半を外管２１内に没入させた状態では、延長管２０は図２，図３に示したように縮小させられることになる。
【００３９】
そして、この様に延長管２０が伸長させられた状態又は縮小させられた状態で、ロックピン２３ｄを内管側カバー２５の位置決凹部２５ａに係合させることにより、その状態が保持される。尚、図では位置決凹部２５ａを２つ図示した状態しか示していないが、位置決凹部２５ａは内管側カバー２５の長手方向に多数設けても良い。
【００４０】
上述した構成によれば、外管側カバー２３を設けた側の寸法を小さくできると共に、断面が円形の風路断面積と略同じ風路断面積を確保できる。この際、風路断面における外管２１の大きさを大きくするのを防止できる。また、外管側カバー２３及び内管側カバー２５が外管２１及び内管２２の変形させられた側（すなわち変形させられて扁平になった側）にそれぞれ設けられるので、給電用の一対のリード線の間隔を確保するための幅を容易に得ることができる。しかも、円弧ｃ１〜ｃ３の曲率半径を調整することで、内管２２及び外管２１の断面形状を略Ｄ字状に形成して風路断面積を充分に確保できると共に、内管２２及び外管２１の断面形状を略Ｄ字状に形成したときに、角部になる部分を比較的大きな曲率半径の円弧で滑らかに形成することができる。
【００４１】
以上説明した発明の実施の形態の延長管２０は、外管２１とこの外管２１内を摺動可能に設けられた内管２２とを有して伸縮可能である。また、延長管２０は、軸方向の一端部から他端部にわたって設けられた給電手段（例えば、リード線３０）を有する。尚、給電手段としては、従来技術で述べた構成を採用することもできる。しかも、外管２１の外周の一部には、径方向に突出して前記給電手段をカバーするカバー（外管側カバー２３、内管側カバー２５）が設けられている。その上、内管２２及び外管２１の前記カバー側の略半分をカバー側部分Ｐａとし、前記カバーとは反対側の略半分を反カバー側部分Ｐｂとしたとき、前記カバー側部分Ｐａと反カバー側部分Ｐｂとの一方の断面形状を単一の円弧（半径ｒａの円弧即ち半円）で形成すると共に、他方の断面形状を複数の円弧（ｃ１〜ｃ３）で形成している。例えば、カバー側部分Ｐａの断面形状を複数の円弧（ｃ１〜ｃ３）で形成した場合には、反カバー側部分Ｐｂの断面形状を単一の円弧（半径ｒａの半円）で形成する。また、カバー側部分Ｐａの断面形状を単一の円弧（半径ｒａの半円）で形成した場合には、反カバー側部分Ｐｂの断面形状を複数の円弧（ｃ１〜ｃ３）で形成する。
【００４２】
そして、この発明の実施の形態の構成によれば、カバー（外管側カバー２３、内管側カバー２５）を設けた側の寸法を小さくできると共に、断面が円形の風路断面積と略同じ風路断面積を確保可能で、この風路断面における外管の大きさを大きくするのを防止できる。しかも、円弧ｃ１〜ｃ３の曲率半径を調整することで、内管２２及び外管２１の断面形状を略Ｄ字状に形成したときに、角部になる部分を比較的大きな曲率半径の円弧で滑らかに形成することができるので、内管２２及び外管２１の断面形状を略Ｄ字状に形成しても、内管２２と外管２１との間のシール性の低下を防止できる。
【００４３】
また、以上説明した発明の実施の形態では、前記反カバー側部分Ｐｂの断面形状を単一の円弧で形成している。この構成によれば、カバー（外管側カバー２３及び内管側カバー２５）が外管２１及び内管２２の変形させられた側（すなわち変形させられて扁平になった側）にそれぞれ設けられるので、給電用の一対のリード線の間隔を確保するための幅を容易に得ることができる。
【００４４】
更に、内管２２及び外管２１は、その断面形状が複数の円弧で形成されると共に、前記外管カバー２３が突出する径方向の長さがこの径方向と直交する径方向の長さより短く形成されている構成とすることもできる。即ち、上述したようにカバー側部分Ｐａの断面形状のみを複数の円弧（ｃ１〜ｃ３）で形成すると共に、反カバー側部分Ｐｂの断面形状もカバー側部分Ｐａと同様に複数の円弧（ｃ１〜ｃ３）で形成してもよい。
【００４５】
この場合には、外管カバー２３が突出する径方向の長さ（寸法）が短手方向となり、この短手方向の径方向と直交する径方向の長さ（寸法）が長手方向となる。しかし、上述した実施例における寸法で考えた場合、短手方向の寸法が２．８ｍｍの２倍、即ち５．６ｍｍだけ円形の場合よりも短くなり、長手方向の直径（寸法）が半径ｒａの２倍と変わらない。また、風路断面積を円形の場合と略同じにするために、長手方向の直径を０．４ｍｍ〜１ｍｍの範囲内で大きくしても、全体的には殆ど大きくなることがないので、握りやすい大きさ（直径）を充分に確保できる。しかも、円弧ｃ１〜ｃ３の曲率半径を調整することで、内管２２及び外管２１の断面形状を略Ｄ字状に形成したときに、角部になる部分を比較的大きな曲率半径の円弧で滑らかに形成することができるので、内管２２及び外管２１の断面形状を略Ｄ字状に形成しても、内管２２と外管２１との間のシール性の低下を防止できる。
【００４６】
【発明の効果】
この発明は、以上説明したように構成したので、カバーが突出する径方向の寸法を小さくできると共に、内管と外管との間のシール性の低下を防止できる。
【図面の簡単な説明】
【図１】この発明に係る延長管を備える電気掃除機の概略斜視図である。
【図２】図１に示した延長管を縮小させたときの平面図である。
【図３】図１に示した延長管を縮小させたときの側面図である。
【図４】（ａ）は図２のＡ０−Ａ０線に沿う断面図、（ｂ）は（ａ）の要部拡大断面図である。
【図５】図４（ｂ）の要部拡大断面図である。
【図６】図３のＡ−Ａ線に沿う断面図である。
【図７】図３のＢ−Ｂ線に沿う断面図である。
【図８】図３のＣ−Ｃ線に沿う断面図である。
【図９】図６のリード線の説明図である。
【図１０】図１〜図８の延長管の断面形状説明図である。
【図１１】従来の延長管を備える電気掃除機の概略説明図である。
【図１２】図１１に示した延長管の断面図である。
【図１３】図１２のＤ−Ｄ線に沿う断面図である。
【図１４】図１２のＥ−Ｅ線に沿う断面図である。
【符号の説明】
２０・・・延長管（延長パイプ）
２１・・・外管
２２・・・内管
２３・・・外管側カバー
２５・・・内管側カバー
３０・・・リード線（給電手段）
ｃ１〜ｃ３・・・円弧
Ｐｂ・・・反カバー側部分
Ｐａ・・・カバー側部分
【図１】
2004008239.tif 000003
【図２】
2004008239.tif 000004
【図３】
2004008239.tif 000005
【図４】
2004008239.tif 000006
【図５】
2004008239.tif 000007
【図６】
2004008239.tif 000008
【図７】
2004008239.tif 000009
【図８】
2004008239.tif 000010
【図９】
2004008239.tif 000011
【図１０】
2004008239.tif 000012
【図１１】
2004008239.tif 000013
【図１２】
2004008239.tif 000014
【図１３】
2004008239.tif 000015
【図１４】
2004008239.tif 000016